(57)【要約】【課題】使い捨て可能な程度に安価な毛染め用カバーを提供する。【解決手段】一枚の矩形状または下方を長辺とした台形状の樹脂シートを用い、無縫製で形成しており、前記樹脂シートの左右両側縁の少なくとも上下方向の一部に互いに嵌合して開閉させる中央開閉部を設け、前記樹脂シートの左右両側部分を折り返して前記中央開閉部を前中央位置に位置させて、前中央で開閉される左右の前カバーと後カバーとを設け、前記左右脇側に当たる位置に腕出し用開口を設け、かつ、前記前後カバー部の上端には左右脇側端から中央側の首回り開口までの間に肩開閉部および／または融着された肩固着部を設けていることを特徴とする。【選択図】図１
2010178797.tif 000002
【特許請求の範囲】
【請求項１】
一枚の矩形状または下方を長辺とした台形状の樹脂シートを用い、無縫製で形成しており、
前記樹脂シートの左右両側縁の少なくとも上下方向の一部に互いに嵌合して開閉させる中央開閉部を設け、前記樹脂シートの左右両側部分を折り返して前記中央開閉部を前中央位置に位置させて、前中央で開閉される左右の前カバーと後カバーとを設け、
前記左右脇側に当たる位置に腕出し用開口を設け、かつ、前記前後カバー部の上端には左右脇側端から中央側の首回り開口までの間に肩開閉部および／または融着された肩固着部を設けていることを特徴とする毛染め用カバー。
【請求項２】
前記左右両側縁に設ける中央開閉部は、左右両側縁の一方に設けた嵌合用の蟻溝状の凹部と、他方に設けた前記凹部に挿入係止される凸部からなり、
前記肩開閉部も前記前後カバーの一方に設けた嵌合用の蟻溝状の凹部、他方に設けた前記凹部に挿入係止される凸部からなる請求項１に記載の毛染め用カバー。
【請求項３】
前記前後カバーの上端の間に各左右脇側端から所定寸法だけ融着した肩固着部を設けると共に、該肩固着部から首回り開口まで前記肩開閉部を設けている請求項１または請求項２に記載の毛染め用カバー。
【請求項４】
前記前後カバーの上端の間は前記各左右脇側端から首回り開口位置までの全長を前記肩開閉部とし、使用前状態は一枚の矩形状のシートとし、
あるいは、前記前後カバーの上端の間は前記各左右脇側端から首回り開口位置までの全長を融着した肩固着部とし、使用前状態で前中央開きの二枚折り形状としている請求項１または請求項２に記載の毛染め用カバー。
【請求項５】
前記樹脂シートは、着用時に少なくとも内面側となる一面に、微細な凹凸部を設け、または粗面加工し、衣類への密着性を低減している請求項１乃至請求項４のいずれか１項に記載の毛染め用カバー。
【請求項６】
前記前後カバーの上下長さは着用時に、下端はウエスト位置から膝位置の間に位置する長さとしている請求項１乃至請求項５のいずれか１項に記載の毛染め用カバー。
【請求項７】
前記樹脂シートは薄いポリエチレンシートあるいは塩化ビニールシートで形成し、使い捨て用としている請求項１乃至請求項６のいずれか１項に記載の毛染め用カバー。
【発明の詳細な説明】
【技術分野】
【０００１】
本発明は毛染め用カバーに関し、詳しくは、家庭においてヘヤーカラークリームを用いて毛染めを行う場合に着用するカバーであり、毛染め後には使い捨てできる程度に極めて構成として安価に製造できるようにしているものである。
【背景技術】
【０００２】
従来、ヘヤーカラークリーム（毛染めクリーム）は包装箱内に収容されて販売されており、該包装箱内には使い捨て用の樹脂製の手袋が封入されている場合が多い。該手袋を着用すると、毛染め時に毛染めクリームが手に付着しないようすることができる。このように、毛染めクリームの包装箱には手袋は封入されているが、毛染め用カバーは封入されていない。
しかしながら、手に毛染めクリームが付着しても、すぐに手を洗えば簡単に洗いおとせるが、衣類に毛染めクリームが付着すると、簡単に洗い落とせず、衣類に汚れが生じる問題がある。
【０００３】
即ち、頭髪が長い毛染め時には、毛染めクリームが衣類の首回り等に付着しやすく、さらに、毛染め後に洗髪するために入浴する際に、衣類が丸首であると、該衣類を脱ぐ際に乾燥していない毛染めクリームが衣類に付着しやすい。そのため、毛染め時には、毛染めクリームが付着してもよいボロ着を着用したり、前開きの衣類に着替えて毛染めすることが通常なされている。
【０００４】
従来、美容院では、図８に示すように、前開きまたは後ろ開きで、丈が長く、首から膝程度までがすっぽりと覆われると共に、左右幅も広く腕もカバーされて、手だけ出せるカバー２００が使用されている。この美容院で使用されているカバーは、比較的しっかりとした樹脂製素材を用いて縫着して形成されているため高価である。かつ、不使用時にはかさ張るため、家庭での毛染めには使用しづらい問題がある。さらに、この美容院で使用されているカバーは、個人が市場で入手しにくい。
よって、家庭での毛染め用のカバーとしては、かさ張らず、かつ、安価で、汚れた場合には使い捨てできるカバーが望ましい。
【０００５】
なお、特開２００２−８５１３３号公報（特許文献１）において、図９に示すシャンプー用のカバーが提供されている。該カバーは本体前部１００の裾の全長にわたり、水滴の流れ落ちを防止するために袋部１０１を設け、該袋部の上端を本体前部に留める留具１０２を設けていることを特徴としている。
毛染めの場合は、洗髪時に生じる水滴の流れ落ちはないため、特許文献１のような袋部を設ける必要はない。
かつ、該特許文献１のカバーは袋部１０１や留具１０２を備え、さらに、首回りの襟元にも留具１０３を備え、これらは縫着されているため、製造コストがかかり安価にならないと認められる。  
【先行技術文献】
【特許文献】
【０００６】
【特許文献１】特開２００２−８５１３３号公報
【発明の概要】
【発明が解決しようとする課題】
【０００７】
本発明は前記問題に鑑みてなされたもので、家庭で毛染めする場合に着用でき、汚れた場合に使い捨てできる程度に安価に製造できる毛染め用カバーを提供することを課題としている。
【課題を解決するための手段】
【０００８】
前記課題を解決するため、本発明は、
一枚の矩形状または下方を長辺とした台形状の樹脂シートを用いて無縫製で形成しており、
前記樹脂シートの左右両側縁の少なくとも上下方向の一部に互いに嵌合して開閉させる中央開閉部を設け、前記樹脂シートの左右両側部分を折り返して前記中央開閉部を前中央位置に位置させて、前中央で開閉される左右の前カバーと後カバーとを設け、
前記折り返し位置の左右脇線に当たる位置に腕出し用開口を設け、かつ、前記前後カバー部の上端には左右脇線から中央側の首回り開口までの間に肩開閉部および／または融着された肩固着部を設けていることを特徴とする毛染め用カバーを提供している。
【０００９】
前記のように、本発明の毛染め用カバーは、一枚の矩形状の樹脂シートを用いて無縫製で形成しているため、非常に簡単に製造でき、使い捨てできる程度に安価に提供できるものである。
前記樹脂シートを矩形状とすると上下幅が同等のカバーとなり、台形状とすると、下方の幅が広がったカバーとすることができる。
本発明の毛染め用カバーは、樹脂シートの左右両側部を折り返すことで前開きの左右前カバーを設けることができ、その間を後カバーとできる。かつ、前記左右折り返し位置の両側にスリットを設けるだけで、腕だし用開口を設けることができる。かつ、折り返し状態で、中央の首回り開口となる部分を残して前後カバーの上端を融着して固着または開閉部を設けることで肩部を形成できる。このように、素材を矩形状あるいは台形状の樹脂シートとしているため、素材の歩留まりはよく、素材に無駄が発生しない。かつ、樹脂シートをゴミ袋用等に用いられている薄いポリエチレンシート、塩化ビニールシート等の安価な素材で用いて形成すると、非常に安価で使い捨てできる毛染め用カバーとすることができる。毛染めクリームがカバーに付着すると、カバーを樹脂シートで形成しているため、洗い落とすことはできるが、手数がかかるため、使い捨てできる程度に安価なものとすると、使い勝手が良い。
【００１０】
前記中央開閉部は、前記左右両側縁の一方に設けた嵌合用の蟻溝状の凹部と、他方に設けた前記凹部に挿入係止される凸部からなり、
前記肩開閉部も前記前後カバーの一方に設けた嵌合用の蟻溝状の凹部、他方に設けた前記凹部に挿入係止される凸部からなることが好ましい。
前記開閉部は、樹脂製のシール機能付きチェックの取り付けられている包装袋で汎用されているものであり、シール用の突起と、該突起を押し込むシール用の凹部を備えたものである。この開閉部を前記矩形状の樹脂シートの端縁に沿って一体成形または、凸部を設けた帯材と凹部を設けた帯材とを樹脂シートの端縁に沿って熱融着あるいは超音波融着で固着して設けてもよい。
なお、開閉材として雌雄面ファスナー等の他の適宜な開閉材を取り付けてもよい。
【００１１】
前記開閉部を左右前カバーの端縁の長さ方向の全長あるいは、上端から上下長さ方向の中央部あたりまでにそれぞれ設けておくと、上端側等の必要な箇所だけ凸部を凹部に押し込んで閉じることができ、かつ、左右前カバーを離れる方向に引っ張るだけで開くことができる。また、肩部に設けると、首回りに密着させる位置まで閉じることもでき、首回りに毛染めクリームが付着するのを防止できる。
【００１２】
前記前後カバーの上端の間に各左右脇線から所定寸法だけ融着した肩固着部を設けると共に、該肩固着部から首回り開口まで前記肩開閉部を設けてもよい。
該構成とすると、着用時に、肩部の全長を閉じ操作する必要はなく、かつ、着用後に、首回りの任意の位置まで短い長さ分だけ閉じ操作すればよく、使用者に適した首回り開口に調節することができる。
【００１３】
あるいは、前記前後カバーの上端の間は前記各左右脇線から首回り開口位置までの全長を前記肩開閉部とし、使用前状態は一枚の矩形状のシートとしても良い。
さらに、前記前後カバーの上端の間は前記各左右脇線から首回り開口位置までの全長を融着した肩固着部とし、使用前状態で前中央開きの二枚折り形状としても良い。この場合、首回り開口を大き目にあけておく必要があるが、着用後に左右前カバーの上端を閉じることにより、首回り開口が大きく開くことはない。
【００１４】
前記樹脂シートは、着用時に少なくとも内面側となる一面に、微細な凹凸部を設け、または粗面加工し、衣類への密着性を低減しておくことが好ましい。
即ち、樹脂シートを薄くしておくと、衣類に密着しやすくなるが、前記のように加工しておくと、密着しにくくなり、カバーを簡単に脱ぐことができる。
【００１５】
前記前後カバーの上下長さは着用時に、下端はウエスト位置から膝位置の間に位置する長さとしていることが好ましい。
【発明の効果】
【００１６】
前述したように、本発明の毛染め用カバーは矩形状あるいは台形状の樹脂シートを用いて無縫製で形成しているため、材料費および加工費を低減でき非常に安価に製造できる。よって、使い捨てできる程度の安価な価格で毛染め用カバーを提供することができる。
【図面の簡単な説明】
【００１７】
【図１】（Ａ）は第一実施形態の毛染め用カバーの正面図、（Ｂ）は背面図である。
【図２】第一実施形態の毛染め用カバーの展開図である。
【図３】（Ａ）（Ｂ）は開閉材を示す図面である。
【図４】（Ａ）（Ｂ）は第一実施形態の第一変形例を示す正面図である。
【図５】第一実施形態の第二変形例を示す図面である。
【図６】第二実施形態の要部拡大図である。
【図７】（Ａ）は第三実施形態の要部拡大図面、（Ｂ）は展開図である。
【図８】従来例を示す図面である。
【図９】他の従来例を示す図面である。
【発明を実施するための形態】
【００１８】
以下、本発明の実施形態を図面を参照して説明する。
図１〜図３に第一実施形態の毛染め用カバー１を示す。
図１に示す毛染め用カバー１は、矩形状の薄いポリエチレンシートからなる樹脂シート２を用い、無縫製で形成している。
【００１９】
図２に展開形状で示すように、樹脂シート２は縦方向Ｙが長い長方形で、着用時に縦方向Ｙの上下長さが肩から膝まで達する長さとしている。
樹脂シート２の横方向Ｘを略四等分して両側の２つ位置を折り曲げ位置２ａ、２ｂとし、図１に示す左右脇線３Ａ、３Ｂとしている。該左右脇線３Ａ、３Ｂで左右両側部２ｃ、２ｄを折り返すと、図１に示す左右の前カバー４Ａ、４Ｂとなり、中央部２ｅが後カバー５となる。
【００２０】
前記左右脇線３Ａ、３Ｂに当たる位置では、樹脂シート２に上端より下向きに全長の１／３程度までスリット２ｆ、２ｇを入れ、図１に示す腕だし用開口６Ａ、６Ｂを設けている。
【００２１】
一方の前カバー４Ｂの端縁の外面側には上端から上下全長の１／２〜２／３程度の下方まで、図３に示す蟻溝状の凹部１１ａを帯材１１ｂに設けた樹脂製の雌開閉材１１を熱融着で固着している。一方、他方の前カバー４Ａの端縁の内面側には上下方向に前記凹部１１ａに挿入係止する凸部１２ａを帯材１２ｂに設けた樹脂製の雄開閉材１２を熱融着で固着している。なお、前記雌雄開閉材１１、１２は全長に設けてもよい。  
前記雌開閉材１１の凹部１１ａに雄開閉材１２の凸部１２ａを押し込むことで左右前カバー４Ａと４Ｂとを閉じ、左右前カバー４Ａと４Ｂとを離れる方向に引っ張ることで開く、中央開閉部８を設けている。
【００２２】
前記左右の前カバー４Ａ、４Ｂと後カバー５の上端縁とは、左右脇線３Ａ、３Ｂから左右前カバー４Ａ、４Ｂの各幅Ｗの略１／２位置まで熱融着して肩固着部９Ａ、９Ｂを設けている。これにより、左右前カバー４Ａ、４Ｂと後カバー５との間には中央位置に互いに固着されない部分を設け、該部分を首回り開口１０としている。    
【００２３】
前記樹脂シート２からなる毛染め用カバー１は使用前状態で、２つ折りされた長方形状としている。該毛染め用カバー１は薄い樹脂シート２で形成しているため、２つ折り状態でも偏平状とできる。よって、例えば、多数枚の毛染め用カバー１を積層状態で包装袋に入れておくことができる。また、毛染めクリームの包装箱の手袋と共に封入しておくことも可能である。
【００２４】
使用時には、腕出し用開口６Ａ、６Ｂに左右の腕を通し、左右前カバー４Ａ、４Ｂの中央前端に設けた前記雌雄開閉材１１、１２を、任意の位置で且つ任意の長さで閉じればよい。
該雌雄開閉材１１、１２を上端近くまで閉じると、首回り開口１０が大きくあくことを防止できる。かつ、毛染め時には、首にタオル等を巻き付けて行う場合も多いため、首回り開口１０が比較的大きくなっても、問題が生じない場合が多い。
なお、後カバー５および左右前カバー４Ａ、４Ｂの幅を広げておくと、腕出し用開口６Ａ、６Ｂより下腕部あるいは手だけ出せるようにすることができ、衣類の袖への毛染めクリームの付着を防止できる。
【００２５】
毛染め後は、左右の前カバー４Ａ、４Ｂを離れる方向に引っ張れば雌雄開閉材１１、１２は簡単に外れ、毛染め用カバーを脱ぐことができる。
本発明の毛染め用カバー１は、前記のように、矩形状の樹脂シートから簡単に形成しているため、非常に安価に製造でき、よって、一枚の毛染め用カバー１も非常に安価となり、使用後は使い捨てすることができる。
【００２６】
図４（Ａ）（Ｂ）に第一実施形態の第一変形例を示す。
該変形例では、樹脂シート２を下広がりの台形状としている。他の構成は第一実施形態と同様であるため、同一符号を付して説明を省略する。
このように、台形状としても、図４（Ｂ）に示すように、歩留まりよく樹脂シート２を素材Ｍより切り出すことができる。かつ、着用時に毛染め用カバー１Ａは下広がりのゆったりとしたものにでき、スカート等を着用して毛染めする場合に好適なものとなる。
【００２７】
図５に第一実施形態の第二変形例を示す。
第二変形例では着用時に内面側となる樹脂シート２の一面を加工して粗面２ｈとしている。なお、樹脂シート２の全体をエンボス加工してもよい。
該構成とすると、毛染め用カバー１Ｂが着用時に衣類に密着しにくくできる。
【００２８】
図６に第二実施形態の毛染め用カバー２０を示す。
第一実施形態との相違点は、肩部の左右脇線側には、第一実施形態と同様に前後カバー４Ａ、４Ｂ、５を熱融着した肩固着部２１Ａ、２１Ｂを設け、該肩固着部２１Ａ、２１Ｂに連続して中央の首回り開口１０に向けて、中央開閉部と同様な雌雄開閉材１１、１２を固着して、首回り開口１０に接する部分を肩開閉部２２Ａ、２２Ｂとしている。
具体的には、後カバー５の上端に雌開閉材１１を取り付け、左右前カバー４Ａ、４Ｂの上端に雄開閉材１２を取り付けている。
【００２９】
前記の毛染め用カバー２０は、着用後に、肩開閉部２２Ａ、２２Ｂの閉じ長さを調節しながら閉じることにより、首回り開口１０の大きさを任意に調節することができる。    
【００３０】
図７（Ａ）（Ｂ）に第三実施形態の毛染め用カバー３０を示す。
該毛染め用カバー３０は、肩部の全長を肩開閉部３１としている。
即ち、後カバー５の上端全長に雌開閉材１１を取り付け、左右前カバー４Ａ、４Ｂの上端全長に雄開閉材１２を取り付けている。
該構成とすると、前後カバー４Ａ、４Ｂ、５とを固着する熱融着工程を無くすことができる。
着用時には、予め左右前カバー４Ａ、４Ｂの上端をそれぞれ後カバー５の上端と左右脇線３Ａ、３Ｂより所要長さ閉じておき、着用後に、さらに肩開閉部３１の閉じ長さを伸ばすと、首回りに沿うように首回り開口１０の大きさを調節することができる。
【符号の説明】
【００３１】
１、１Ａ、１Ｂ、２０、３０  毛染め用カバー
２  樹脂シート
３Ａ、３Ｂ  左右脇線
４Ａ、４Ｂ  左右前カバー
５  後カバー
６Ａ、６Ｂ  腕出し用開口
８  中央開閉部
９Ａ、９Ｂ  肩固着部
１０  首回り開口
１１  雌開閉材
１２  雄開閉材
２２Ａ、２２Ｂ  ３１  肩開閉部
【図１】
2010178797.tif 000003
【図２】
2010178797.tif 000004
【図３】
2010178797.tif 000005
【図４】
2010178797.tif 000006
【図５】
2010178797.tif 000007
【図６】
2010178797.tif 000008
【図７】
2010178797.tif 000009
【図８】
2010178797.tif 000010
【図９】
2010178797.tif 000011